(57)【要約】【課題】画像群に関する保存方法についての自由度が低い。【解決手段】画像処理装置は、一の撮影指示に対して撮像された複数の画像から生成された複数の画像ファイルを含む画像群を取得する画像取得部と、前記画像群に含まれる前記複数の画像ファイルを保存する全画像保存か、または、前記画像群に含まれる前記複数の画像ファイルのうち代表の画像ファイルを保存する代表画像保存かの選択を受け付ける選択受付部と、前記画像取得部が前記画像群を取得した場合に、前記選択受付部により受け付けられた選択に基づいて、前記全画像保存または前記代表画像保存を実行する画像保存部とを備える。【選択図】図５
2013020486.tif 000002
【特許請求の範囲】
【請求項１】
一の撮影指示に対して撮像された複数の画像から生成された複数の画像ファイルを含む画像群を取得する画像取得部と、
前記画像群に含まれる前記複数の画像ファイルを保存する全画像保存か、または、前記画像群に含まれる前記複数の画像ファイルのうち代表の画像ファイルを保存する代表画像保存かの選択を受け付ける選択受付部と、
前記画像取得部が前記画像群を取得した場合に、前記選択受付部により受け付けられた選択に基づいて、前記全画像保存または前記代表画像保存を実行する画像保存部と
を備える画像処理装置。
【請求項２】
前記画像保存部が実行する前記全画像保存は、前記複数の画像ファイルを結合した結合画像ファイルとして保存する結合画像保存を含む
請求項１に記載の画像処理装置。
【請求項３】
前記画像取得部は、前記代表の画像ファイルを識別する代表情報を取得して、
前記画像保存部は、結合画像保存において、前記結合画像ファイルと前記代表情報とを関連付けて保存する
請求項２に記載の画像処理装置。
【請求項４】
前記画像保存部は、前記全画像保存において、前記複数の画像ファイルが画像群に含まれる画像ファイルであることを判定する画像群判定情報とともに、前記複数の画像ファイルを個別に保存する
請求項１から３のいずれか１項に記載の画像処理装置。
【請求項５】
前記画像保存部は、前記全画像保存において、前記複数の画像ファイルがいずれの画像群に属するかを識別可能な画像群情報とともに、前記複数の画像ファイルを個別に保存する
請求項４に記載の画像処理装置。
【請求項６】
前記画像保存部が実行する前記全画像保存は、前記複数の画像ファイルがいずれの画像群に属するかを識別可能な画像群情報を含むファイル名を付与して前記複数の画像ファイルを保存する画像名識別保存を含む
請求項４または５に記載の画像処理装置。
【請求項７】
前記画像保存部は、前記画像名識別保存において、前記複数の画像ファイルに含まれる代表の画像ファイルを前記ファイル名によって識別可能に保存する
請求項６に記載の画像処理装置。
【請求項８】
前記画像保存部が実行する前記全画像保存は、前記複数の画像ファイルがいずれの画像群に属するかを識別可能な画像群情報と前記複数の画像ファイルとを関連付けた識別情報ファイルと、前記複数の画像ファイルとを分離して保存する識別分離保存を含む
請求項４から７のいずれか１項に記載の画像処理装置。
【請求項９】
前記画像保存部は、前記識別分離保存において、前記複数の画像ファイルに含まれる代表の画像ファイルを識別する代表情報を前記識別情報に含ませる
請求項８に記載の画像処理装置。
【請求項１０】
前記画像保存部が実行する前記全画像保存は、前記画像群毎に前記複数の画像ファイルをフォルダに保存するフォルダ保存を含む
請求項４から９のいずれか１項に記載の画像処理装置。
【請求項１１】
前記画像保存部は、前記フォルダ保存において、前記代表の画像ファイルのファイル名を識別可能に変換する
請求項１０に記載の画像処理装置。
【請求項１２】
前記選択受付部は、
請求項２または３に記載の前記結合画像保存、
請求項６または７に記載の前記画像名識別保存、
請求項８または９に記載の前記識別分離保存、及び、
請求項１０または１１に記載の前記フォルダ保存のいずれかの選択を受け付ける画像処理装置。
【請求項１３】
前記複数の画像ファイルは、同じ画像から生成された複数のファイル形式の画像ファイルを含み、
前記画像保存部は、
前記複数のファイル形式の画像ファイルに前記結合画像ファイルに変換できないファイル形式の画像ファイルが含まれる場合、
少なくとも前記結合画像ファイルに変換できる画像ファイルのファイル形式の前記複数の画像ファイルを前記結合画像ファイルに変換する
請求項２または３に記載の画像処理装置。
【請求項１４】
前記画像保存部は、
前記結合画像ファイルに変換できないファイル形式の画像ファイルを個別に保存する
請求項１３に記載の画像処理装置。
【請求項１５】
画像処理をコンピュータに実行させるプログラムであって、
一の撮影指示に対して撮像された複数の画像から生成された複数の画像ファイルを含む画像群を取得する画像取得段階と、
前記画像群に含まれる前記複数の画像ファイルを保存する全画像保存か、または、前記画像群に含まれる前記複数の画像ファイルのうち代表の画像ファイルを保存する代表画像保存かの選択を受け付ける選択受付段階と、
前記画像取得段階で前記画像群を取得した場合に、前記選択受付段階で受け付けられた選択に基づいて、前記全画像保存または前記代表画像保存のいずれかを実行する画像保存段階と
をコンピュータに実行させるプログラム。
【発明の詳細な説明】
【技術分野】
【０００１】
本発明は、画像処理装置、及び、プログラムに関する。
【背景技術】
【０００２】
複数の画像ファイルを含む画像群から代表画像を選別することに関する画像処理の技術が知られている（例えば、特許文献１参照）。
［特許文献１］  特開２００４−２４７８０７号公報
【発明の概要】
【発明が解決しようとする課題】
【０００３】
しかしながら、上述の技術は、画像群に含まれる複数のファイルから代表画像を選別して保存する方法である。上述の技術は、代表画像を識別可能に保存するのみであって、画像群に関する保存方法についての自由度が低いといった課題がある。
【課題を解決するための手段】
【０００４】
本発明の第１の態様においては、一の撮影指示に対して撮像された複数の画像から生成された複数の画像ファイルを含む画像群を取得する画像取得部と、前記画像群に含まれる前記複数の画像ファイルを保存する全画像保存か、または、前記画像群に含まれる前記複数の画像ファイルのうち代表の画像ファイルを保存する代表画像保存かの選択を受け付ける選択受付部と、前記画像取得部が前記画像群を取得した場合に、前記選択受付部により受け付けられた選択に基づいて、前記全画像保存または前記代表画像保存を実行する画像保存部とを備える画像処理装置を提供する。
【０００５】
本発明の第２の態様においては、画像処理をコンピュータに実行させるプログラムであって、一の撮影指示に対して撮像された複数の画像から生成された複数の画像ファイルを含む画像群を取得する画像取得段階と、前記画像群に含まれる前記複数の画像ファイルを保存する全画像保存か、または、前記画像群に含まれる前記複数の画像ファイルのうち代表の画像ファイルを保存する代表画像保存かの選択を受け付ける選択受付段階と、前記画像取得段階で前記画像群を取得した場合に、前記選択受付段階で受け付けられた選択に基づいて、前記全画像保存または前記代表画像保存のいずれかを実行する画像保存段階とをコンピュータに実行させるプログラムを提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】画像処理システムの全体構成の概略図である。
【図２】撮像装置１２の全体構成を示すブロック図である。
【図３】撮像記憶部２４に保存された画像群に含まれる画像ファイルを説明する図である。
【図４】識別情報ファイルＤＦを説明する図である。
【図５】画像処理装置１４の全体構成を示すブロック図である。
【図６】画像処理装置１４において実行される画像処理のフローチャートである。
【図７】保存選択画面の図である。
【図８】代表画像保存を説明する図である。
【図９】代表画像保存によって保存された画像ファイルの画像表示を説明する図である。
【図１０】結合画像保存を説明する図である。
【図１１】結合画像保存によって保存された結合画像ファイルの画像表示を説明する図である。
【図１２】画像名識別保存を説明する図である。
【図１３】画像名識別保存によって保存された画像ファイルの画像表示を説明する図である。
【図１４】識別分離保存を説明する図である。
【図１５】記憶部４６に保存される識別情報ファイルを説明する図である。
【図１６】フォルダ保存を説明する図である。
【図１７】個別保存を説明する図である。
【図１８】変更された保存選択画面を説明する図である。
【図１９】変更された保存選択画面を説明する図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、画像処理システムの全体構成の概略図である。図１に示すように、画像処理システム１０は、撮像装置１２と、画像処理装置１４とを有する。撮像装置１２の一例は、デジタルカメラである。撮像装置１２は、画像を撮像して、電気的な画像情報である画像ファイル及び画像ファイルに関する情報である識別情報を生成する。画像処理装置１４の一例は、パーソナルコンピュータである。画像処理装置１４は、撮像装置１２と情報を入出力可能に構成されている。例えば、画像処理装置１４は、撮像装置１２から画像ファイルを取得して、保存する。
【００１０】
図２は、撮像装置１２の全体構成を示すブロック図である。図２に示すように、撮像装置１２は、撮像部２０と、撮像操作部２２と、撮像記憶部２４と、入出力部２６と、撮像制御部２８とを備える。
【００１１】
撮像部２０は、ＣＣＤ（Charge Coupled Device）センサ、または、ＣＭＯＳ（Complementary Metal Oxide Semiconductor）センサ等の光電変換素子を有する。撮像部２０は、光電変換されたアナログ信号をデジタル変換して撮像制御部２８へと出力する。
【００１２】
撮像操作部２２は、タッチパネル、ダイアル、レリーズボタン等を含む。撮像操作部２２は、ユーザがタッチパネル等を介して入力した指示等の情報を撮像制御部２８へと出力する。
【００１３】
撮像記憶部２４は、撮像部２０によって撮像された画像の情報である画像ファイルを保存する。撮像記憶部２４は、例えば、フラッシュメモリを含む。
【００１４】
入出力部２６は、画像処理装置１４等の外部機器と接続される。これにより、撮像装置１２は、入出力部２６を介して、画像処理装置１４等と種々の情報を入出力する。
【００１５】
撮像制御部２８は、ＣＰＵを含む。撮像制御部２８は、撮像装置１２の制御全般を司る。撮像制御部２８は、単写制御部３０と、群制御部３２と、転送部３４とを有する。ユーザが撮像操作部２２を介して、単写撮像を設定した後、レリーズボタンを操作すると、単写制御部３０は、撮像部２０に画像を１枚ずつ撮像させて画像ファイルを１個ずつ撮像記憶部２４に保存する。ユーザが撮像操作部２２を介して、群撮像を設定した後、レリーズボタンを操作すると、群制御部３２は、一の撮像指示に対して、撮像部２０に複数の画像を撮像させて生成された複数の画像ファイルを含む画像群を撮像記憶部２４に保存する。画像群を撮像する撮像方法は、時間的に連続して複数撮像する連写、露出等を変えて複数撮像するオートブラケッティング等である。転送部３４は、入出力部２６を介して、撮像記憶部２４に保存された画像ファイルを画像処理装置１４に転送する。
【００１６】
図３は、撮像記憶部２４に保存された画像群に含まれる画像ファイルを説明する図である。図３に示すように、複数の画像ファイルＰＦは、フォルダＦＬＤに属する形で撮像記憶部２４に保存される。図３に示す例では、５個の画像ファイルＰＦが、１つの画像群ＰＧに属する。従って、画像ファイルＰＦの「ＤＳＣＮ＿０００１．ＪＰＧ〜ＤＳＣＮ＿０００５．ＪＰＧ」が、画像群ＰＧ０１に属し、画像ファイルＰＦの「ＤＳＣＮ＿０００６．ＪＰＧ〜ＤＳＣＮ＿００１０．ＪＰＧ」が、画像群ＰＧ０２に属する。尚、１個の画像群ＰＧに含まれる画像ファイルＰＦの個数は適宜変更してよい。
【００１７】
複数のフォルダＦＬＤが、撮像記憶部２４に形成されてもよい。同じ画像群ＰＧに属する画像ファイルＰＦは、同じフォルダＦＬＤに属する。この場合、いずれのフォルダＦＬＤに撮像した画像ファイルＰＦを属させるかは、各フォルダＦＬＤに画像ファイルＰＦを記憶可能な容量の上限を設けて、上限に達したら次のフォルダＦＬＤに画像ファイルＰＦを属させてもよい。尚、いずれのフォルダＦＬＤに撮像した画像ファイルＰＦを属させるかは、ユーザの指示に従ってもよい。各フォルダＦＬＤには、各画像ファイルＰＦに関する識別情報を含む識別情報ファイルＤＦが属する。
【００１８】
図４は、識別情報ファイルＤＦを説明する図である。図４に示すように、識別情報ファイルＤＦは、画像ファイルＰＦに関する種々の識別情報を含む。識別情報には、画像ファイルＰＦがいずれの画像群ＰＧに属するかを識別する画像群名、及び、各画像ファイルＰＦの属性が、画像ファイルＰＦの画像ファイル名に関連付けられている。画像ファイルＰＦの属性には、画像ファイルＰＦである旨、ユーザベストである画像ファイルＰＦ、オートベストである画像ファイルＰＦに関する情報が含まれる。ユーザベストの画像ファイルは、代表画像ファイルＳＦの一例であり、ユーザベストである旨の情報は、代表情報の一例である。尚、オートベストの画像ファイルＰＦを代表画像ファイルとしてもよい。ユーザベストはユーザによって選択される。オートベストは、露出、焦点等を参照して群制御部３２によって自動的に選択される。
【００１９】
この識別情報ファイルＤＦにより、ＤＳＣＮ＿０００１．ＪＰＧ〜ＤＳＣＮ＿０００５．ＪＰＧの５個の画像ファイルＰＦが、画像群ＰＧ０１に属することが識別できる。更に、この５個の画像ファイルＰＦのうち、ユーザベストである代表画像ファイルＳＦが「ＤＳＣＮ＿０００３．ＪＰＧ」であること、オートベストの画像ファイルＰＦが「ＤＳＣＮ＿０００１．ＪＰＧ」であることが識別情報ファイルＤＦから識別できる。尚、図４に示す識別情報ファイルＤＦは、画像群ＰＧに属する画像ファイルＰＦの識別情報のみを有するが、単写制御部３０によって撮像され、画像群ＰＧに属さない単写の画像ファイルＰＦの識別情報を合わせて識別情報ファイルＤＦに含めてもよい。
【００２０】
図５は、画像処理装置１４の全体構成を示すブロック図である。図５に示すように、画像処理装置１４は、操作部４０と、表示部４２と、入出力部４４と、記憶部４６と、画像制御部４８とを備える。
【００２１】
操作部４０は、キーボード、マウス、タッチパネル等を有する。操作部４０は、ユーザによって操作される。これにより、ユーザは、操作部４０を介して、指示等の種々の情報を画像制御部４８に入力する。
【００２２】
表示部４２は、液晶表示装置を有する。表示部４２は、画像制御部４８から入力された画像ファイルＰＦの画像情報に基づいて、画像を表示する。
【００２３】
入出力部４４は、撮像装置１２等の外部機器と情報を入出力可能に構成されている。入出力部４４は、取得した情報を画像制御部４８へと入力する。
【００２４】
記憶部４６は、撮像装置１２から取得した画像ファイルＰＦ、画像処理装置１４に画像処理を実行させるためのプログラム等を保存している。画像処理を実行させるためのプログラムは、例えば、ＣＤ、ＤＶＤ等の記憶媒体５０を介して取得してもよい。
【００２５】
画像制御部４８は、画像処理装置１４の制御全般を司る。画像制御部４８は、画像取得部５２と、選択受付部の一例である操作受付部５４と、画像保存部５６と、表示制御部５８とを有する。
【００２６】
画像取得部５２は、入出力部４４を介して、撮像装置１２から撮像装置１２が撮像して生成した複数の画像ファイルＰＦを含む画像群ＰＧを取得する。また、画像取得部５２は、撮像装置１２から識別情報ファイルＤＦを取得する。画像取得部５２は、取得した画像ファイルＰＦ及び識別情報ファイルＤＦを画像保存部５６へと出力する。画像取得部５２は、画像ファイルＰＦを取得した旨を操作受付部５４へと出力する。
【００２７】
操作受付部５４は、操作部４０を介して入力されたユーザの指示を受け付ける。例えば、操作受付部５４は、画像取得部５２から画像ファイルＰＦを取得した旨が入力されると、保存選択画面を表示させる旨を表示制御部５８へと出力する。操作受付部５４が受け付ける指示には、この保存選択画面を介してユーザが入力する画像保存に関する選択指示が含まれる。画像保存に関する選択指示は、画像群ＰＧに含まれる複数の画像ファイルＰＦを保存する全画像保存か、または、画像群ＰＧに含まれる複数の画像ファイルＰＦのうち代表の画像ファイルである代表画像ファイルを保存する代表画像保存かの選択を含む。尚、全画像保存は、後述する結合画像保存、画像名識別保存、識別分離保存、フォルダ保存、及び、個別保存を含む。操作受付部５４は、取得した画像保存の選択指示を画像保存部５６へと出力する。操作受付部５４が取得する指示には、画像ファイルＰＦの画像を表示部４２に表示させる表示指示が含まれる。操作受付部５４は、取得した表示指示を表示制御部５８へと出力する。
【００２８】
画像保存部５６は、画像取得部５２が画像群ＰＧを取得した場合に、操作受付部５４により受け付けられた選択指示に基づいて、全画像保存または代表画像保存を実行する。これにより、画像保存部５６は、画像取得部５２から入力された画像群ＰＧに属する画像ファイルＰＦを記憶部４６に保存する。
【００２９】
表示制御部５８は、操作受付部５４から表示指示が入力されると、記憶部４６に保存されている画像ファイルＰＦを表示部４２に表示させる。
【００３０】
図６は、画像処理装置１４において実行される画像処理のフローチャートである。図７は、保存選択画面の図である。画像処理装置１４は、記憶部４６に保存されたプログラムを読み込んで画像処理を実行する。
【００３１】
図６に示すように、画像処理装置１４において画像処理が実行されると、画像取得部５２が、入出力部４４を介して、識別情報ファイルＤＦ及び複数の画像ファイルＰＦを含む画像群ＰＧをフォルダＦＬＤに属する状態で撮像装置１２から取得する（Ｓ１０）。画像取得部５２は、取得した識別情報ファイルＤＦ及び画像ファイルＰＦを画像保存部５６へと出力する。また、画像取得部５２は、識別情報ファイルＤＦ及び画像ファイルＰＦを取得した旨を操作受付部５４へと出力する。
【００３２】
次に、操作受付部５４は、画像取得部５２から画像ファイルＰＦを取得した旨が入力されると、表示制御部５８へと保存選択画面の表示指示を表示制御部５８へと出力する。表示制御部５８は、図７に示す保存選択画面６０を表示部４２に表示する。ユーザは、この保存選択画面６０に表示された代表画像保存、結合画像保存、画像名識別保存、識別分離保存、フォルダ保存、及び、個別保存のいずれかを選択して、操作部４０によって選択した保存方法を入力する。操作受付部５４は、保存方法に関するユーザの選択を受け付けると、その選択された保存方法を画像保存部５６へと出力する（Ｓ１２）。
【００３３】
次に、画像保存部５６は、ユーザにより選択されて操作受付部５４から入力された保存方法に基づいて、代表画像保存、結合画像保存、画像名識別保存、識別分離保存、フォルダ保存、及び、個別保存のいずれかを実行する。これにより、画像保存部５６は、画像取得部５２から入力された識別情報ファイルＤＦ及び画像ファイルＰＦに関する情報を記憶部４６に保存する（Ｓ１４）。
【００３４】
次に、ユーザが操作部４０を介して、画像の表示指示を入力して、操作受付部５４が表示指示を取得すると（Ｓ１６：Ｙｅｓ）、操作部４０は、表示指示を表示制御部５８へと入力する。表示制御部５８は、画像保存部５６によって保存された画像ファイルＰＦに基づいて、表示部４２に画像を表示する（Ｓ１８）。これにより、画像処理が終了する。
【００３５】
図８は、代表画像保存を説明する図である。図９は、代表画像保存によって保存された画像ファイルの画像表示を説明する図である。代表画像保存は、画像群ＰＧに含まれる複数の画像ファイルＰＦのうち代表画像ファイルＳＦを保存する保存方法である。
【００３６】
図８の左側に示すように、ステップＳ１０の画像取得において、画像取得部５２は、複数の画像群ＰＧのいずれかに属する複数の画像ファイルＰＦと、画像ファイルＰＦの識別情報を含む識別情報ファイルＤＦとを取得する。代表画像保存がユーザにより選択されると、画像保存部５６は、図８の左側に示すようにユーザベストである代表画像ファイルＳＦの画像ファイルのみを記憶部４６に保存する。例えば、画像保存部５６は、画像群ＰＧ０１では、ユーザベストの画像ファイルＤＳＣＮ＿０００３．ＪＰＧのみを記憶部４６に保存する。また、画像保存部５６は、画像群ＰＧ０２では、ユーザベストの画像ファイルＤＳＣＮ＿０００７．ＪＰＧのみを記憶部４６に保存する。尚、画像保存部５６は、ユーザベストの代わりに、オートベストの画像ファイルＰＦを代表画像ファイルＳＦとして記憶部４６に保存してもよい。識別情報ファイルＤＦは、消去してもよい。また、代表画像ファイルＳＦが、元は画像群ＰＧに属していたことを示す情報を残すことが好ましい。例えば、代表画像ファイルＳＦのファイル名に「＃」等の識別符号を付与することが提案できる。
【００３７】
代表画像保存において記憶部４６に保存された画像ファイルＰＦを表示する場合、図９に示すように、表示制御部５８は、保存された画像ファイルＰＦ、例えば、ＤＳＣＮ＿０００３．ＪＰＧを表示部４２に表示する。
【００３８】
上述したように代表画像保存においては、画像処理装置１４は、代表画像ファイルＳＦのみを保存する。これにより、画像処理装置１４は、記憶部４６が必要とする記憶容量を小さくすることができる。また、画像処理装置１４は、画像ファイルの管理を簡易化することができる。更には、画像処理装置１４は、識別情報ファイルＤＦを参照することなく、代表画像ファイルＳＦの画像のみを迅速に表示できる。
【００３９】
図１０は、結合画像保存を説明する図である。図１１は、結合画像保存によって保存された結合画像ファイルの画像表示を説明する図である。結合画像保存は、画像群ＰＧに含まれる複数の画像ファイルＰＦを結合した結合画像ファイルＣＦとして保存する保存方法である。
【００４０】
図１０に示すように、結合画像保存がユーザにより選択されると、画像保存部５６は、画像群ＰＧに画像ファイルＰＦを結合して、１個の結合画像ファイルＣＦを生成して記憶部４６に保存する。例えば、画像保存部５６は、画像群ＰＧ０１に属する画像ファイルＰＦであるＤＳＣＮ＿０００１．ＪＰＧ〜ＤＳＣＮ＿０００５．ＪＰＧを結合して、１個の結合画像ファイルＣＦを生成する。結合画像ファイルＣＦのファイル形式は、マルチピクチャーフォーマットを採用できる。結合画像ファイルＣＦのファイル名をＤＳＣＮ＿０１．ＭＰＯとする。結合画像ファイルＣＦのファイル名の「０１」は、元の画像群ＰＧ０１の画像群名から抽出した識別符号であって、いずれの画像群ＰＧに属していたかを識別するための画像群情報の一例である。これにより、ユーザは、結合画像ファイルＣＦの画像群ＰＧ０１をファイル名から認識できる。これにより、ユーザは、結合画像ファイルＣＦの画像が画像群ＰＧに属していたことをファイル名から判定できる。
【００４１】
画像保存部５６は、結合させた５個の画像ファイルＰＦのうち、ユーザベストの画像ファイルＰＦであるＤＳＣＮ＿０００３．ＪＰＧを識別するための代表情報と結合画像ファイルＣＦとを関連付けて保存する。例えば、代表情報は、マルチピクチャーフォーマットの場合、ＭＰフォーマット付属情報に含めてもよい。また、代表情報は、結合画像ファイルＣＦのファイル名に含めてもよい。尚、画像保存部５６は、５個の画像ファイルＰＦを動画ファイルとして保存してもよい。
【００４２】
結合画像保存において、記憶部４６に保存された結合画像ファイルＣＦを表示する場合、図１１に示すように、表示制御部５８は、保存された結合画像ファイルＣＦに含まれる代表画像情報を参照して、ユーザベストの画像ファイルＰＦに対応する画像を表示部４２に表示する。また、表示制御部５８は、残りの画像ファイルＰＦに対応する画像をユーザベストの画像に重ねて表示部４２に表示する。これにより、ユーザは、ユーザベストの画像を認識しつつ、５個の画像ファイルＰＦが結合されていることを認識できる。
【００４３】
上述したように結合画像保存においては、画像処理装置１４は、５個の画像ファイルＰＦを結合した１個の結合画像ファイルＣＦとして、保存する。これにより、画像処理装置１４は、記憶部４６が必要とする記憶容量を小さくしつつ、ファイルの管理を簡易化することができる。
【００４４】
図１２は、画像名識別保存を説明する図である。図１３は、画像名識別保存によって保存された画像ファイルの画像表示を説明する図である。画像名識別保存は、複数の画像ファイルＰＦがいずれの画像群ＰＧに属するかを識別可能な画像群情報を含む画像ファイル名を付与して複数の画像ファイルＰＦを個別に保存する保存方法である。
【００４５】
図１２に示すように、画像名識別保存がユーザにより選択されると、画像保存部５６は、それぞれの画像ファイルＰＦの画像ファイル名を識別情報ファイルＤＦに含まれる識別情報に基づいて変換する。具体的には、画像保存部５６は、画像群名と、画像取得部５２が取得した画像ファイルの画像ファイル名とを識別可能に画像ファイル名を変換する。更に、画像保存部５６は、ユーザベストの画像ファイルであることを認識可能に画像ファイルＰＦの画像ファイル名を変換する。
【００４６】
例えば、画像群ＰＧ０１に属する画像ファイルＰＦのＤＳＣＮ＿０００２．ＪＰＧの場合、画像保存部５６は、画像群ＰＧ０１を識別可能な画像群情報である「０１」と、ファイルを識別する識別符号の「０００２」とを順に並べた「ＤＳＣＮ＿０１＿０００２．ＪＰＧ」に画像ファイル名を変換する。また、ファイル名の「０１」は、画像ファイルＰＦが、連写またはオートブランケッティング等により撮像された画像群ＰＧに属することを判定するための画像群判定情報の一例である。更に、ユーザベストの画像ファイルＰＦのＤＳＣＮ＿０００３．ＪＰＧの場合、画像保存部５６は、画像ファイル名にユーザベストであることを識別する識別符号「＄」を付与して、画像ファイル名を「ＤＳＣＮ＿０１＿０００３＄．ＪＰＧ」に変換する。これにより、画像名識別保存において、画像保存部５６は、画像ファイル名によって、複数の画像ファイルＰＦに含まれる代表画像ファイルＳＦを識別できる。
【００４７】
画像名識別保存において記憶部４６に保存された画像ファイルＰＦを表示する場合、図１３に示すように、表示制御部５８は、保存された画像ファイルＰＦの全てを表示部４２に表示させる。ここで、表示制御部５８は、各画像ファイルＰＦの画像ファイル名を参照して、ユーザベストの画像ファイルＰＦを抽出して、その画像ファイルＰＦの画像を大きく表示させてもよい。尚、表示制御部５８は、全ての画像ファイルＰＦの画像を同じ大きさに表示させてもよく、図１１に示すように表示させてもよい。
【００４８】
図１４は、識別分離保存を説明する図である。図１５は、記憶部４６に保存される識別情報ファイルを説明する図である。識別分離保存は、複数の画像ファイルＰＦがいずれの画像群ＰＧに属するかを識別可能な画像群情報と複数の画像ファイルＰＦとを関連付けた識別情報ファイルＤＦと、複数の画像ファイルＰＦとを分離して保存する保存方法である。
【００４９】
図１４に示すように、識別分離保存がユーザにより選択されると、画像保存部５６は、画像ファイル名を変換することなく画像ファイルＰＦを個別に記憶部４６に保存する。また、画像保存部５６は、画像ファイルＰＦから分離した識別情報ファイルＤＦ０１、ＤＦ０２・・・を記憶部４６に保存する。ここで、画像保存部５６は、画像取得部５２が取得した識別情報ファイルＤＦに基づいて、各画像群ＰＧに対応する識別情報ファイルＤＦ０１、ＤＦ０２・・・を作成する。尚、画像保存部５６は、画像取得部５２が取得した識別情報ファイルＤＦを変換することなく保存してもよい。
【００５０】
図１５に示すように、識別分離保存において、画像保存部５６は、識別情報ファイルＤＦから画像群名、属性、画像ファイル名を抽出する。尚、画像群名は、いずれの画像群ＰＧに属するかの画像群情報の一例であるとともに、画像ファイルＰＦが画像群ＰＧに属することを判定するための画像群判定情報の一例である。そして、画像保存部５６は、抽出した画像群名に、属性及び画像ファイル名を関連付けて、それぞれの画像群ＰＧに対応する識別情報ファイルＤＦ０１、ＤＦ０２・・を生成して、記憶部４６に格納する。また、画像保存部５６は、複数の画像ファイルＰＦに含まれる代表画像ファイルＳＦを識別する代表情報の一例であるユーザベストである情報、及び、オートベストである情報を識別情報ファイルＤＦ０１、ＤＦ０２・・に含ませる。
【００５１】
識別分離保存において記憶部４６に保存された画像ファイルＰＦを表示する場合、表示制御部５８は、図１１または図１３に示すように表示する。尚、複数回に分けて識別分離保存を実行して、複数の画像群ＰＧに属する画像ファイルＰＦを１個のフォルダに保存する場合、各画像群ＰＧの識別情報ファイルＤＦを結合して１個の識別情報ファイルＤＦとしてもよい。また、１個の画像処理装置１４に保存された全ての画像ファイルＰＦを１個の識別情報ファイルＤＦによって管理してもよい。更には、ネットワークに接続された複数の画像処理装置１４に保存された画像ファイルＰＦをサーバに保存された識別情報ファイルＤＦによって管理してもよい。
【００５２】
図１６は、フォルダ保存を説明する図である。フォルダ保存は、画像群ＰＧ毎に複数の画像ファイルＰＦを個別にフォルダＦＬＤに保存する保存方法である。
【００５３】
図１６に示すように、フォルダ保存がユーザにより選択されると、画像保存部５６は、画像群ＰＧ毎にフォルダＦＬＤを作成して、該当する画像群ＰＧの全ての画像ファイルＰＦをフォルダＦＬＤに属させて記憶部４６に保存する。例えば、画像保存部５６は、画像群ＰＧ０１に対応するフォルダＦＬＤ０１を作成する。そして、画像保存部５６は、画像群ＰＧ０１に属する画像ファイルＰＦのＤＳＣＮ＿０００１．ＪＰＧ〜ＤＳＣＮ＿０００５．ＪＰＧをフォルダＦＬＤ０１＃に属させて記憶部４６に保存する。尚、フォルダ名の「０１」は、画像群ＰＧ０１に属する画像ファイルＰＦであることを示す画像群情報の一例である。フォルダ名の「＃」は、画像群ＰＧに属する画像ファイルＰＦであることを示す画像群判定情報の一例である。更に、画像保存部５６は、ユーザベストの画像ファイルＰＦの画像ファイル名に識別符号「＄」を画像ファイル名に付与して、画像ファイル名により当該画像ファイルＰＦが代表画像ファイルＳＦであることを識別可能に保存する。
【００５４】
フォルダ保存において記憶部４６に保存された画像ファイルＰＦを表示する場合、表示制御部５８は、図１１または図１３に示すように表示する。フォルダ保存においては、画像処理装置１４が、フォルダ単位で画像群ＰＧの画像ファイルＰＦを管理するので、特定のアプリケーションを必要とせず、画像ファイルＰＦの管理が容易になる。また、ユーザは、容易に同じ画像群ＰＧに属する画像ファイルＰＦを認識しつつ、画像ファイル名から代表画像を認識できる。
【００５５】
図１７は、個別保存を説明する図である。図１７に示すように、個別保存がユーザにより選択されると、画像保存部５６は、画像ファイルＰＦを変換することなく、記憶部４６に保存するとともに、識別情報ファイルＤＦを消去する。即ち、個別保存においては、画像ファイルＰＦは、画像群に関する識別情報が消去された状態で保存される。
【００５６】
上述したように、画像処理装置１４では、複数の保存方法から選択して、画像群ＰＧに属する複数の画像ファイルＰＦを保存できる。これにより、画像処理装置１４は、ユーザによる画像ファイルＰＦの保存方法の自由度を向上させることができる。
【００５７】
特に、画像処理装置１４は、画像群ＰＧに含まれる複数の画像ファイルＰＦのうち、ユーザベスト等の代表画像のみを保存する代表画像保存と、画像群に含まれる複数の画像ファイルＰＦを保存する結合画像保存、画像名識別保存、識別分離保存、フォルダ保存、及び個別保存とのいずれかを選択可能に構成されている。これにより、ユーザは、これらの保存方法のいずれかを選択することにより、プログラム及び表示の高速化、記憶部４６の容量、表示部４２への表示方法等に対応させて画像ファイルＰＦを適切な方法で保存できる。
【００５８】
次に、上述した実施形態の一部を変更した実施形態について説明する。
【００５９】
上述した図６のフローチャートの順序は適宜変更してよい。例えば、選択受付Ｓ１２を実行した後、画像取得Ｓ１０を実行してもよいし、選択受付Ｓ１２を、撮像装置１２から画像処理装置１４への転送時に実行してもよい。この場合、代表画像保存が選択された場合、画像取得部５２が代表画像ファイルＳＦのみを取得してもよい。例えば、画像取得部５２は、撮像装置１２において、ユーザが選択したユーザベストのみを代表画像ファイルＳＦとして取得してもよい。更に、ユーザベストが撮像装置１２に存在しない場合、画像取得部５２は、オートベストのみを代表画像ファイルＳＦとして取得してもよい。また、選択受付Ｓ１２を実行した結果を保存して、時間が経過した後、例えば数日後、他のステップを実行してもよい。更に、画像処理装置１４が有する画像取得部５２、操作受付部５４、及び、画像保存部５６の一部または全部を撮像装置１２に設けて、それぞれの処理を撮像装置１２において実行してもよい。
【００６０】
図１８及び図１９は、変更された保存選択画面を説明する図である。画像取得部５２による画像取得が実行されると、表示制御部５８は、図１８に示すように、代表画像保存、及び、全画像保存のいずれかを選択可能な初期保存選択画面６２を表示部４２に表示する。ユーザは、初期保存選択画面６２においては、代表画像保存、及び、全画像保存のいずれかを選択する。ここで、ユーザが操作部４０を介して代表画像保存を選択すると、画像保存部５６は代表画像保存を実行する。一方、ユーザが操作部４０を介して全画像保存を選択すると、表示制御部５８は、図１９に示す後期保存選択画面６４を表示部４２に表示する。後期保存選択画面６４は、結合画像保存、画像名識別保存、識別分離保存、フォルダ保存、及び個別保存を選択可能に構成されている。この後、ユーザが後期保存選択画面６４に基づいて、結合画像保存、画像名識別保存、識別分離保存、フォルダ保存、及び個別保存のいずれかを操作部４０により選択すると、画像保存部５６がその選択された保存方法に基づいて画像ファイルＰＦを保存する。
【００６１】
上述の実施形態では、画像ファイルＰＦのファイル形式を「ＪＰＧ」として説明した。しかしながら、複数のファイル形式によって画像ファイルＰＦを生成する撮像装置１２においても上述の実施形態を適用してもよい。例えば、撮像装置１２が生成した複数の画像ファイルＰＦが、同じ画像から生成された「ＲＡＷ」と「ＪＰＧ」の２個のファイル形式の画像ファイルを含む場合が想定される。尚、「ＲＡＷ」のファイルは、撮像部２０の出力信号によって生成される。この場合、結合画像保存が選択されると、画像保存部５６は、「ＪＰＧ」の画像ファイルＰＦを結合して結合画像ファイルＣＦに変換して保存する。一方、画像保存部５６は、結合されることができない「ＲＡＷ」の画像ファイルＰＦを個別に保存する。
【００６２】
上述の実施形態では、ユーザが選択した保存方法によって画像群ＰＧを保存したが、操作受付部５４が自動で保存方法を選択してもよい。例えば、画像ファイルＰＦのファイル形式が「ＲＡＷ」のみの場合、結合画像保存がユーザによって選択されても、画像保存部５６は結合画像保存を実行することができない。従って、画像保存部５６が実行できない保存方法を操作受付部５４が受け付けた場合、操作受付部５４が保存方法を自動で選択してもよい。尚、画像保存部５６が実行できる保存方法が選択されても、より好ましい保存方法が存在する場合、操作受付部５４はその保存方法を選択してもよく、また、操作受付部５４が表示制御部５８を介して表示部４２に好ましい保存方法を表示させてもよい。
【００６３】
上述の実施形態における保存方法を組み合わせてもよい。
【００６４】
例えば、結合画像保存と画像名識別保存とを組み合わせてもよい。この場合、画像保存部５６は、結合画像保存と同様に複数の画像ファイルを結合させて１個の結合画像ファイルを生成する。そして、画像保存部５６は、ユーザベストの画像ファイルが認識できるファイル名を作成して結合画像ファイルに付与する。これにより、ユーザは、元の画像ファイルＰＦのいずれがユーザベストの画像ファイルかを容易に認識できる。
【００６５】
また、フォルダ保存と画像名識別保存とを組み合わせてもよい。この場合、画像保存部５６は、複数の画像ファイルＰＦをフォルダＦＬＤに属させるとともに、画像群が認識可能な画像ファイル名を画像ファイルＰＦに付与する。これにより、ユーザは、画像ファイルＰＦをフォルダＦＬＤから移動させても、画像ファイルＰＦがどの画像群ＰＧに属していたかを容易に認識できるとともに、移動前のフォルダＦＬＤを認識できる。
【００６６】
上述した実施形態では、画像保存方法を取得した画像ファイルＰＦに一律に適用する例を示したが、画像ファイル毎、画像群毎に画像保存方法を設定できるように構成してもよい。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６９】
１０  画像処理システム
１２  撮像装置
１４  画像処理装置
２０  撮像部
２２  撮像操作部
２４  撮像記憶部
２６  入出力部
２８  撮像制御部
３０  単写制御部
３２  群制御部
３４  転送部
４０  操作部
４２  表示部
４４  入出力部
４６  記憶部
４８  画像制御部
５０  記憶媒体
５２  画像取得部
５４  操作受付部
５６  画像保存部
５８  表示制御部
６０  保存選択画面
６２  初期保存選択画面
６４  後期保存選択画面
【図１】
2013020486.tif 000003
【図２】
2013020486.tif 000004
【図３】
2013020486.tif 000005
【図４】
2013020486.tif 000006
【図５】
2013020486.tif 000007
【図６】
2013020486.tif 000008
【図７】
2013020486.tif 000009
【図８】
2013020486.tif 000010
【図９】
2013020486.tif 000011
【図１０】
2013020486.tif 000012
【図１１】
2013020486.tif 000013
【図１２】
2013020486.tif 000014
【図１３】
2013020486.tif 000015
【図１４】
2013020486.tif 000016
【図１５】
2013020486.tif 000017
【図１６】
2013020486.tif 000018
【図１７】
2013020486.tif 000019
【図１８】
2013020486.tif 000020
【図１９】
2013020486.tif 000021